(57)【特許請求の範囲】
【請求項１】
前後および左右の壁体と、上面に配設されたトッププレートを備え、平面視略矩形で下面に開口を有するコンロ本体と、
前記トッププレートに形成されたバーナ用開口を経て前記トッププレート上に炎孔が突出するような態様で配設されたコンロバーナと、
前記コンロ本体の下面に配設され、前記コンロ本体を支持する支持脚と
を備えるガステーブルコンロであって、
前記コンロ本体の下面の前記開口を取り囲む、前記コンロ本体の下面よりもさらに下方に突出した開口囲繞部であって、前記支持脚を備えた前記コンロ本体を平坦面に載置したときに、その下端と前記平坦面との間に形成される隙間が１０ｍｍ未満となるような開口囲繞部を備えているとともに、
前記開口を取り囲む前記開口囲繞部は、平面視で前記コンロ本体の左右の側面よりも所定距離だけ内側で、かつ、前記開口よりも外側に位置する左側および右側の囲繞部構成体と、前記左側および右側の囲繞部構成体と略直交し、前記開口よりも外側に位置する前側および後側の囲繞部構成体とを備えており、
前記コンロ本体の下面の、前記開口囲繞部の内側への、直径が１０ｍｍの鋼球の侵入を阻止できるように構成されていること
を特徴とするガステーブルコンロ。
【請求項２】
前記開口囲繞部を構成する前記左側および右側の囲繞部構成体が、前記コンロ本体を構成する前記左右の壁体のそれぞれの下端部を、平面視で前記コンロ本体の左右の側面よりも所定距離だけ内側に折り曲げ、さらにその先端部を所定距離だけ下側に折り曲げる加工を行うことにより形成されていることを特徴とする請求項１記載のガステーブルコンロ。
【請求項３】
前記支持脚が、前記開口囲繞部の一部を構成していることを特徴とする請求項１または２記載のガステーブルコンロ。
【発明の詳細な説明】
【技術分野】
【０００１】
本発明は、ガスコンロに関し、詳しくは、設置台上に載置して用いられるガステーブルコンロに関する。
【背景技術】
【０００２】
ガステーブルコンロの１つに、特許文献１に開示されているように、コンロ本体の上面を構成するトッププレートと、トッププレートに設けたバーナ用開口を介して、炎孔をトッププレートの上方に突出させる態様で配設されたコンロバーナとを備えたガステーブルコンロがある。なお、このガステーブルコンロは、特許文献１における図１の全体斜視図から判断すると、卓上設置式のガステーブルコンロであると考えられる。
【０００３】
そして、このようなガステーブルコンロにおいては、コンロ本体の底部の四隅にコンロ本体を支持するための支持脚を備えており、この支持脚によって当該ガステーブルコンロが載置される設置台の上面である載置面とコンロ本体の下面との間に隙間が形成され、この隙間と、テーブルコンロ本体の下面に設けた開口を通して、コンロバーナ燃焼用の一次空気を供給したり、コンロバーナ燃焼によるコンロ本体内部の温度上昇を抑制するために熱気を排出したりするように構成されることが多い。
【０００４】
ところで、近年、このようなガステーブルコンロにおいて、ねずみ、特にクマネズミによる被害が発生している。
すなわち、上述のような目的でテーブルコンロ本体の下面に設けられた開口から、ねずみがコンロ本体の内部に侵入し、コンロ本体の内部に敷設されている電線などをかじって、断線や電線間の短絡によるガステーブルコンロの動作不良などの不都合を引き起こすという問題があり、改善が望まれている。
【先行技術文献】
【特許文献】
【０００５】
【特許文献１】特開２０１２−０４２１０６号公報
【発明の概要】
【発明が解決しようとする課題】
【０００６】
本発明は、上記課題を解決するものであり、コンロバーナ燃焼用の一次空気を供給するため、あるいは、熱気を排出してコンロ本体内部の温度上昇を抑制する目的でコンロ本体の下面に開口を設けた場合にも、ねずみが開口を経由してコンロ本体内部に侵入することを抑制、防止することが可能なガステーブルコンロを提供することを目的とする。
【課題を解決するための手段】
【０００７】
上記の目的を達成するために、本発明のガステーブルコンロは、
前後および左右の壁体と、上面に配設されたトッププレートを備え、平面視略矩形で下面に開口を有するコンロ本体と、
前記トッププレートに形成されたバーナ用開口を経て前記トッププレート上に炎孔が突出するような態様で配設されたコンロバーナと、
前記コンロ本体の下面に配設され、前記コンロ本体を支持する支持脚と
を備えるガステーブルコンロであって、
前記コンロ本体の下面の前記開口を取り囲む、前記コンロ本体の下面よりもさらに下方に突出した開口囲繞部であって、前記支持脚を備えた前記コンロ本体を平坦面に載置したときに、その下端と前記平坦面との間に形成される隙間が１０ｍｍ未満となるような開口囲繞部を備えているとともに、
前記開口を取り囲む前記開口囲繞部は、平面視で前記コンロ本体の左右の側面よりも所定距離だけ内側で、かつ、前記開口よりも外側に位置する左側および右側の囲繞部構成体と、前記左側および右側の囲繞部構成体と略直交し、前記開口よりも外側に位置する前側および後側の囲繞部構成体とを備えており、
前記コンロ本体の下面の、前記開口囲繞部の内側への、直径が１０ｍｍの鋼球の侵入を阻止できるように構成されていること
を特徴としている。
【０００８】
また、本発明のガステーブルコンロは、前記開口囲繞部を構成する前記左側および右側の囲繞部構成体が、前記コンロ本体を構成する前記左右の壁体のそれぞれの下端部を、平面視で前記コンロ本体の左右の側面よりも所定距離だけ内側に折り曲げ、さらにその先端部を所定距離だけ下側に折り曲げる加工を行うことにより形成されていることが好ましい。
【０００９】
また、前記支持脚が、前記開口囲繞部の一部を構成していることが好ましい。
【発明の効果】
【００１０】
本発明のガステーブルコンロは、上述のように、コンロ本体の下面の開口を取り囲む開口囲繞部（支持脚を備えたコンロ本体を平坦面に載置したときに、その下端と平坦面との間に形成される隙間が１０ｍｍ未満となるような開口囲繞部）を備えるとともに、開口を取り囲む開口囲繞部が、平面視でコンロ本体の左右の側面よりも所定距離だけ内側で、かつ、開口よりも外側に位置する左側および右側の囲繞部構成体と、左側および右側の囲繞部構成体と略直交し、開口よりも外側に位置する前側および後側の囲繞部構成体とを備えた構成とされているので、コンロ本体の下面の、開口囲繞部の内側への、直径が１０ｍｍの鋼球の侵入を阻止することが可能になる。したがって、コンロ本体の下面の開口からネズミがコンロ本体内に侵入することを防止することが可能なガステーブルコンロを得ることができる。
【００１１】
すなわち、コンロバーナ燃焼用の一次空気を供給するため、あるいは、熱気を排出してコンロ本体内部の温度上昇を抑制するために、コンロ本体の下面に開口を設けた場合にも、ねずみが開口を経由してコンロ本体内部に侵入することを抑制、防止することが可能で、信頼性の高いガステーブルコンロを提供することができる。
【００１２】
また、本発明のガステーブルコンロにおいて、開口囲繞部を構成する左側および右側の囲繞部構成体を、コンロ本体を構成する左右の壁体のそれぞれの下端部を、平面視でコンロ本体の左右の側面よりも所定距離だけ内側に折り曲げ、さらにその先端部を所定距離だけ下側に折り曲げる加工を行うことにより形成するようにした場合、特別な部材を別途用いることなく、左側および右側の囲繞部構成体を形成することが可能になる。
【００１３】
また、左右の壁体の下端部を内側に折り曲げた部分と載置面との間の隙間に、ガステーブルコンロの設置者や、使用者が手指を入れて取り扱うことができるため、容易にガステーブルコンロを持ち上げたりすることが可能になる。
【００１４】
さらに、ガステーブルコンロを所定の載置位置に載置する際に、手指がコンロ本体と載置面との間に挟まれることを防止することができる。
【００１５】
また、手指が、上述の壁体の内側に折り曲げた部分に接することになるため、怪我をするおそれがなく、高い安全性を実現することができる。
【００１６】
また、支持脚が、開口囲繞部の一部を構成するようにした場合、本来的に備える支持脚が開口囲繞部の一部を構成するので、開口囲繞部を形成するための製造コストを抑制することができる。
【００１７】
また、例えば、左右の囲繞部構成体と前後の囲繞部構成体とを隙間なく配設するための、精度の高い設計や加工を不要とすることが可能になる。すなわち、左右の囲繞部構成体と、前後の囲繞部構成体の間に隙間があるような場合にも、その位置に支持脚を配設するような設計とすることにより、精度の高い設計や加工を行ったりすることを不要にして、製造コストの低減を図ることが可能になる。
【図面の簡単な説明】
【００１８】
【図１】本発明の一実施形態にかかるガステーブルコンロの全体構成を示す斜視図である。
【図２】本発明の一実施形態にかかるガステーブルコンロの全体構成を示す平面図である。
【図３】本発明の一実施形態にかかるガステーブルコンロの全体構成を示す正面図である。
【図４】本発明の一実施形態にかかるガステーブルコンロの全体構成を示す正断面図（図２のＥ−Ｅ線断面図）である。
【図５】本発明の一実施形態にかかるガステーブルコンロの全体構成を示す側面図である。
【図６】本発明の一実施形態にかかるガステーブルコンロの下面の構成を示す下方から見た斜視図である。
【図７】本発明の一実施形態にかかるガステーブルコンロの全体構成を示す側断面図である。
【図８】（ａ），（ｂ），（ｃ）は本発明の一実施形態にかかるガステーブルコンロのコンロ本体の製造工程を示す平面図である。
【図９】本発明の一実施形態にかかるガステーブルコンロの開口囲繞部の構成を示す図である。
【図１０】本発明の一実施形態にかかるガステーブルコンロの開口囲繞部の構成の変形例を示す図である。
【発明を実施するための形態】
【００１９】
以下、本発明の実施形態を示して、その特徴とするところをさらに詳しく説明する。
【００２０】
［実施形態］
この実施形態１にかかるガステーブルコンロ１は、図１〜３に示すように、コンロ本体１０の天面部を構成するトッププレート３０と、トッププレート３０に配置された、２つのコンロバーナ２１，２２を有するコンロ部２ａと、グリル２ｂとを備えたガステーブルコンロである。
【００２１】
また、このガステーブルコンロ１において、コンロ本体１０の前面を構成する前側の壁体（前面パネル）１１ａには、左側のコンロバーナ２１用の点消火ボタン４１（４１ａ）、右側のコンロバーナ２２用の点消火ボタン４１（４１ｂ）、グリルバーナ用の点消火ボタン４１（４１ｃ）が配設されている。また、前側の壁体（前面パネル）１１ａには電池ケース４２が配設されている。
【００２２】
なお、前側の壁体（前面パネル）１１ａは、図１、図５などに示すように、下端側が上端側よりも前方に位置する態様で傾斜して配設されている。
【００２３】
そして、点消火ボタン４１を押し操作することにより、ガス弁ユニット（図示せず）が駆動されてガス弁ユニットが備える開閉弁（図示せず）が開弁して、コンロバーナ２１，２２やグリルバーナ（図示せず）に供給される燃料ガスが通流する開弁状態に至るように構成されている。
【００２４】
また、ガスコンロ１は、コンロ本体１０のコンロバーナ２１，２２の火力を調節する火力調節レバー５１，５２およびグリル部２ｂを構成するグリルバーナ（図示せず）の火力を調節する火力調節レバー５３を備えている。
【００２５】
そして、このガステーブルコンロ１は、コンロバーナ２１，２２に供給される一次空気が流入する吸気用開口、および、コンロ本体１０内の熱気を排出する熱気排出用開口として機能する開口３１（図６参照）を、コンロ本体１の下面側に備えている。
【００２６】
なお、コンロ本体１０は、例えば、次に説明するような方法で作製することができる（図８（ａ），（ｂ），（ｃ）参照）。
まず、図８（ａ）に示すように、コンロ本体１０の後側の壁体１１ｂ、左側の壁体１１ｃ、右側の壁体１１ｄとなる領域が連設され、折り曲げ位置０８において折り曲げられることになるカラー鋼板０１を用意する。
【００２７】
それから、図８（ａ）の、カラー鋼板０１を、折り曲げ位置０８においてベンダーを用いて折り曲げる、折り曲げ加工を行う。
これにより、図８（ｂ）に示すように、前方（図８（ｂ）における下側）が開放（開環）した平面視コの字状の枠体０２、すなわち、後側の側面１１ｂ、左側の側面１１ｃ、および右の側面１１ｄを備えた枠体０２が形成される。
【００２８】
それから、前方が開放した平面視コの字状の枠体０２に、コンロ本体１０の前側の壁体（前面パネル）１１ａを前方から止着する（図８（ｃ））。これにより、平面視で略方形の閉環枠体であるケーシング０３が形成される。なお、この状態において、ケーシング０３の上方及び下方（下面）は大きく開口している。そして、このケーシング０３にトッププレート３０などを取り付けることによりコンロ本体１０が形成されることになる。
【００２９】
また、コンロ本体１０の下面の略四隅には、コンロ本体１０を設置台に載置する際にコンロ本体１０を支持する支持脚２３を備えている（図３、図４、図５、図６、図７）。
なお、この実施形態では、支持脚２３として、ゴムなどの弾性材料からなる、円柱状で、高さＨが１６．４ｍｍのものが用いられている。
【００３０】
また、この実施形態のガステーブルコンロ１においては、コンロ本体１０の下面の開口３１を取り囲む、コンロ本体１０の下面よりもさらに下方に突出した開口囲繞部７１（図６など参照）を備えている。
なお、開口囲繞部７１の、コンロ本体１０の側面の下端１０ａから下方への突出距離Ｄは９．４ｍｍとされている（図９参照）。
【００３１】
また、開口３１を取り囲む開口囲繞部７１は、図３，４，５，６，７，９に示すように、平面視でコンロ本体１０の左右の側面（左右の壁体１１ｃ，１１ｄの外表面）よりも所定距離Ｌだけ内側で、かつ、開口３１よりも外側に位置する左側および右側の囲繞部構成体７１ｃ，７１ｄと、左側および右側の囲繞部構成体７１ｃ，７１ｄと略直交し、開口３１よりも外側に位置する前側および後側の囲繞部構成体７１ａ，７１ｂとを備えている。
【００３２】
なお、囲繞部構成体７１ａ，７１ｂ，７１ｃ，７１ｄは、この実施形態では、壁体１１ａ，１１ｂ，１１ｃ，１１ｄとは別体として形成されている。
すなわち、この実施形態では、例えば図９に示すように、断面がＬ字状に形成された囲繞部構成体（図９では左側の囲繞部構成体７１ｃ）が、壁体（図９では、左側の壁体１１ｃ）の下端のＬ字状に折り曲げ加工された接合部１３に接合され、また、特に図示しないが、右側、前側、および後側の各囲繞部構成体７１ｄ，７１ａ，７１ｂも同様にして、右側、前側、および後側の壁体１１ｃ，１１ａ，１１ｂの下端のＬ字状に折り曲げ加工された接合部（図示せず）に接合されることにより開口囲繞部７１（図６など参照）が形成されている。
【００３３】
ただし、後述のように、囲繞部構成体７１ａ，７１ｂ，７１ｃ，７１ｄのそれぞれを、各壁体１１ａ，１１ｂ，１１ｃ，１１ｄと一体に形成することも可能である。
【００３４】
なお、左右の壁体１１ｃ，１１ｄの外表面から、上記の左側および右側の囲繞部構成体７１ｃ，７１ｄまでの、上述の所定距離Ｌは、この実施形態では、２１ｍｍとされている。
【００３５】
この実施形態のガステーブルコンロ１は、上述のような構成を備えているので、図９に示すように、支持脚２３を備えたコンロ本体１０を設置台３２の載置面（平坦面）３２ａに載置したときに、その開口囲繞部７１の下端と平坦面３２ａとの間に形成される隙間Ｇが１０ｍｍ未満とすることが可能になる。
【００３６】
すなわち、図９に示すように、ゴム製の支持脚の高さＨは、１６．４ｍｍで、コンロ本体１０の側面の下端１０ａと、設置台３２の載置面（平坦面）３２ａの間の距離Ｈは１６．４ｍｍとなるが、この実施形態のガステーブルコンロ１では、開口囲繞部７１を備えており、開口囲繞部７１の、コンロ本体１０の側面の下端１０ａから下方への突出距離Ｄが９．４ｍｍで、開口囲繞部７１の下端と設置台３２の載置面（平坦面）３２ａの間の距離は７ｍｍとなるため、直径１０ｍｍの鋼球が通過することが阻止することができる。
【００３７】
また、左側および右側の囲繞部構成体７１ｃ，７１ｄを、コンロ本体１０の左右の側面（左右の壁体１１ｃ，１１ｄの外表面）から所定距離Ｌ（この実施形態では２１ｍｍ）だけ内側に後退させて形成するようにしているので、上述の後退させた距離Ｌ＝２１ｍｍの水平部分が、ガステーブルコンロ１を持ち上げるときの、手指の掛かり代となり、設置者や使用者がガステーブルコンロ１を確実に持ち上げることが可能になる。
【００３８】
この実施形態のガステーブルコンロ１は、上述のように構成されているので、コンロバーナ燃焼用の一次空気がコンロ本体１０の下面の開口３１から流入するように構成される場合や、コンロ本体１０の内部の温度上昇を抑制するために熱気がコンロ本体１０の下面の開口３１から排出されように構成される場合などにおいて、ガステーブルコンロ１（コンロ本体１０）を平坦面上に載置したときに、ねずみがコンロ本体１０の下面の開口３１を経由してコンロ本体１０の内部に侵入することが抑制、防止して、例えば、侵入したねずみがコンロ本体の内部に敷設されている電線などをかじって、断線や電線間の短絡によるガステーブルコンロの動作不良などの不都合を引き起こすようなことのない、信頼性の高いガステーブルコンロを提供することができる。
【００３９】
また、開口部囲繞体７１を構成する囲繞体構成体７１ａ，７１ｂ，７１ｃ，７１ｄは、上記実施形態のようにコンロ本体１を構成する壁体１１ａ，１１ｂ，１１ｃ，１１ｄとは別体として形成することも可能であるが、以下に説明するように、コンロ本体を構成する前後、左右の壁体と一体に形成することも可能である。
【００４０】
例えば、開口部囲繞体７１を構成する左側の囲繞部構成体７１ｃを例にとって説明すると、図１０に示すように、コンロ本体１０を構成する壁体（図１０では左側の壁体）１１ｃの下端部を、平面視でコンロ本体１０の左側の側面（左側の壁体１１ｃの外表面）よりも所定距離Ｌだけ内側に折り曲げ、さらにその先端部を所定距離Ｄだけ下側に折り曲げる加工を行うことによっても、囲繞部構成体７１ｃを形成することができる。
【００４１】
このようにして、壁体と一体に囲繞部構成体を形成するようにした場合、特別な部材を別途用いることなく、囲繞部構成体を形成することが可能になる。
また、壁体の下端部を内側に折り曲げた部分と載置面との間の隙間に、ガステーブルコンロの設置者や、使用者が手指を入れて取り扱うことにより、容易にガステーブルコンロを持ち上げたり、移動したりすることが可能になる。
また、ガステーブルコンロを所定の載置位置に載置する際に、手指がコンロ本体と載置面との間に挟まれることを防止することができる。
さらに、手指が、上述の折り曲げた部分の水平面に接することになるため、怪我をするおそれがなく、高い安全性を実現することができる。
【００４２】
さらに、このガステーブルコンロ１では、支持脚２３が、開口囲繞部７１の一部を構成するようにしているので、開口囲繞部７１を形成するためのコストを抑制することができる。また、例えば、左右の囲繞部構成体と、前後の囲繞部構成体とを、隙間なく配設するために、精度の高い設計や加工を行ったりすることを不要することが可能になる、
【００４３】
すなわち、左右の囲繞部構成体と、前後の囲繞部構成体の間に隙間があるような場合にも、その隙間が存在する位置に支持脚を配設することにより、容易に開口囲繞部を形成することが可能になり、精度の高い設計や加工を行ったりすることを不要にすることができる。
【００４４】
なお、開口囲繞部、および、開口囲繞部を構成する囲繞部構成体の具体的な構成は、特別の制約はなく、図９，図１０に示した構成以外の種々の構成とすることが可能である。
【００４５】
また、本発明はさらにその他の点においても上記実施形態に限定されるものではなく、発明の範囲内において種々の応用、変形を加えることが可能である。
【符号の説明】
【００４６】
０１        カラー鋼板
０２        コ字状の枠体
０３        ケーシング
０８        折り曲げ位置
１          ガスコンロ
２ａ        コンロ部
２ｂ        グリル
２１，２２  コンロバーナ
１０        コンロ本体
１０ａ      コンロ本体の側面の下端
１１ａ      コンロ本体の前側の壁体（前面パネル）
１１ｂ      コンロ本体の後側の壁体
１１ｃ      コンロ本体の左側の壁体
１１ｄ      コンロ本体の右側の壁体
１２        スリット
１３        接合部
２１，２２  コンロバーナ
２３        支持脚
３１        コンロ本体の下面の開口
３０        トッププレート
３１        コンロ本体の下面の開口
３２        ガステーブルコンロの設置台
３２ａ      設置台の上面である載置面（平坦面）
４１（４１ａ，４１ｂ，４１ｃ）    点消火ボタン
４２        電池ケース
５１，５２，５３      火力調節レバー
７１        開口囲繞部
７１ａ，７１ｂ，７１ｃ，７１ｄ  囲繞部構成体
【図１】
0006503245.tif 000002
【図２】
0006503245.tif 000003
【図３】
0006503245.tif 000004
【図４】
0006503245.tif 000005
【図５】
0006503245.tif 000006
【図６】
0006503245.tif 000007
【図７】
0006503245.tif 000008
【図８】
0006503245.tif 000009
【図９】
0006503245.tif 000010
【図１０】
0006503245.tif 000011